(57)【要約】【課題】印字中にヘッドのメンテナンス動作を行うことを可能とする。【解決手段】記録媒体に液滴を吐出する吐出口が前記記録媒体の全幅に対応する長さにわたって配列されたラインヘッドと、前記ラインヘッドの吐出口の不良を回復するヘッド回復処理を行うヘッド回復手段と、前記ラインヘッドを前記ヘッド回復処理を行うための退避位置に移動させるヘッド退避手段と、前記記録媒体の搬送方向と略垂直な方向に移動可能な補助ヘッドと、を備え、前記ラインヘッドに対し、前記退避位置において前記ヘッド回復処理実行中に前記補助ヘッドにより画像記録を行うことを可能としたことを特徴とする画像形成装置を提供することにより前記課題を解決する。【選択図】      図２
2005231352.tif 000002
【特許請求の範囲】
【請求項１】
記録媒体に液滴を吐出する吐出口が前記記録媒体の全幅に対応する長さにわたって配列されたラインヘッドと、
前記ラインヘッドの吐出口の不良を回復するヘッド回復処理を行うヘッド回復手段と、  前記ラインヘッドを前記ヘッド回復処理を行うための退避位置に移動させるヘッド退避手段と、
前記記録媒体の搬送方向と略垂直な方向に移動可能な補助ヘッドと、
を備え、前記ラインヘッドに対し、前記退避位置において前記ヘッド回復処理実行中に前記補助ヘッドにより画像記録を行うことを可能としたことを特徴とする画像形成装置。
【請求項２】
前記ラインヘッドは、それぞれが複数の吐出口を有する複数の吐出ヘッドを、前記記録媒体の全幅を担うように並べて構成されており、前記ヘッド退避手段は、前記複数の吐出ヘッドをそれぞれ独立に移動可能であることを特徴とする請求項１に記載の画像形成装置。
【請求項３】
前記補助ヘッドは、前記ヘッド回復処理実行中に、前記ラインヘッドの画像記録領域の一部のみ、または全てについて画像記録を行うことを特徴とする請求項１または２に記載の画像形成装置。
【請求項４】
前記補助ヘッドは、前記記録媒体の搬送方向と略垂直な方向に往復運動しながら画像記録を行うことを特徴とする請求項１〜３のいずれか１項に記載の画像形成装置。
【請求項５】
前記補助ヘッドは、前記ラインヘッドを構成する各吐出ヘッドと同様の構成を有していることを特徴とする請求項２〜４のいずれか１項に記載の画像形成装置。
【請求項６】
前記補助ヘッドに、前記記録媒体上における印字の有無を検出する印字検出手段を設けたことを特徴とする請求項１〜５のいずれか１項に記載の画像形成装置。
【発明の詳細な説明】
【技術分野】
【０００１】
本発明は、画像形成装置に係り、特に、インク吐出ヘッドからインクを吐出して印字を行い画像を形成するインクジェット記録装置のように、定期的にヘッドのメンテナンスを必要とする画像形成装置において、印字中にヘッドのメンテナンスを可能とする画像形成装置に関する。
【背景技術】
【０００２】
従来より、画像形成装置として、多数のノズルを配列させたインクジェットヘッド（インク吐出ヘッド）を有し、このインクジェットヘッドと記録媒体を相対的に移動させながら、ノズルからインクを吐出することにより、記録媒体上に画像を形成するインクジェット記録装置（インクジェットプリンタ）が知られている。
【０００３】
このようなインクジェット記録装置におけるインク吐出方法として、従来から様々な方法が知られている。例えば、圧電素子（圧電セラミック）の変形によって圧力室（インク室）の一部を構成する振動板を変形させて、圧力室の容積を変化させ、圧力室の容積増大時にインク供給路から圧力室内にインクを導入し、圧力室の容積減少時に圧力室内のインクをノズルから液滴として吐出する圧電方式や、インクを加熱して気泡を発生させ、この気泡が成長する際の膨張エネルギーでインクを吐出させるサーマルインクジェット方式などが知られている。
【０００４】
インクジェット記録装置のようなインク吐出ヘッドを有する画像形成装置においては、インクを貯蔵するインクタンクからインク供給路を介してインク吐出ヘッドにインクを供給し、上記様々な吐出方法でインクを吐出しているが、ここで用いられるインクは、記録媒体上に吐出されると直ぐに乾燥し定着することが望ましい。
【０００５】
一方、印字の指示があった場合に直ちに印字が実行されるようにインク吐出ヘッドのノズルには常にインクが満たされており、このノズルのインクが乾燥するとノズルからのインク吐出が不安定になるため、非印字時においては、インク吐出ヘッドをキャップにより密閉して、ノズルのインクが乾燥しないようにしている。
【０００６】
しかし、印字中においては、ノズルのインクは空気中にさらされるため、長時間吐出が行われないノズルのインクが乾燥し、インクの粘度が高くなったり、ノズルが目詰まりしたり、ノズルのインクがなくなったりして吐出できなくなる虞があるため、一定時間毎にノズルからインクを強制的に吐出するパージを行う必要がある。
【０００７】
また、インク供給路内等に混入した気泡がインク吐出ヘッド内あるいはインク供給路に設置された異物除去用のフィルタ前に溜まり、この貯留した気泡によってインクの供給が遮断されると、ノズルからのインク吐出ができなくなる。
【０００８】
さらに、長時間吐出を続けていると、インクのリフィルが遅くなり、ノズル内圧が下がりすぎ、インク吐出が不安定となるため、定期的にポンプでノズルからインクを吸引する等により、ノズル内圧を初期の状態にリセットする必要がある。
【０００９】
また、スプラッシュや吐出したインクの印字面での跳ね返り等によりノズル面が汚れると、不吐出等の原因となるため、定期的にノズル面をブレード（ワイプ）して、ノズル面をきれいにする必要がある。
【００１０】
そこで、従来から、インクジェット記録装置における、このようなインク不吐出の原因に対処する様々な提案がなされている。
【００１１】
例えば、圧電方式のインクジェット記録装置において、記録時（印字時）にインクの吐出を行わないドットの圧電振動子に交番電界を印加することによりインク室内のインクを振動させて、インク室内にインクの流れを形成して、インクの乾燥を防止するようにしたものが知られている（例えば、特許文献１等参照）。
【００１２】
また、記録用紙を搬送する搬送ベルトに、記録用紙の搬送方向に所定の間隔で複数の穴を設け、印字中に、プリントヘッドから前記複数の穴のそれぞれに対してインクを吐出し、このインクを前記搬送ベルトを介して前記プリントヘッドと対向するように配置された回復機構手段により回収するようにし、印字中においてもパージを行うことができるようにしたものが知られている（例えば、特許文献２等参照）。
【００１３】
また、記録媒体の幅相当の長さに、複数のノズルを配置したラインヘッドに対し、このラインヘッドの画像記録幅以上の画像記録幅を有する補助ヘッド、あるいは、前記ラインヘッドのライン方向に移動可能な補助ヘッドを、前記ラインヘッドに対して並設して、前記ラインヘッドのノズルに欠陥がある場合には、このラインヘッドに並設された前記補助ヘッドで代用し、画像形成を行うようにしたものが知られている（例えば、特許文献３等参照）。
【００１４】
さらに、ライン型記録ヘッドに対して、このライン型記録ヘッドのノズル配列方向に移動可能なシリアル型記録ヘッドを備え、前記ライン型記録ヘッドに吐出不良のノズルを検出した場合に、この不吐出ノズルの位置を前記シリアル型記録ヘッドで記録するようにしたものが知られている（例えば、特許文献４）。
【特許文献１】特開平９−２９０５０５号公報
【特許文献２】特開２００１−１１３６９０号公報
【特許文献３】特開平１１−３３４０４７号公報
【特許文献４】特開平２−２７６６４７号公報
【発明の開示】
【発明が解決しようとする課題】
【００１５】
しかしながら、上記特許文献１に記載のものでは、印字中におけるノズル内のインクの高粘度化や固化を防止する効果はあるが、印字中にインクの吸引やノズル面のブレードを行うことはできない。また、上記特許文献２に記載のものでは、印字中にパージを行うことはできるが、やはり印字中にインクの吸引及びノズル面のブレードを行うことはできない。
【００１６】
また、上記特許文献３に記載のものでは、補助ヘッドで代用して吐出を行っている間、メインのラインヘッドの不吐出ノズルを回復処理するようには構成されていない。さらに、上記特許文献４に記載のものでは、やはり補助ヘッド（シリアル型記録ヘッド）で代用して吐出を行っている間、メインのライン型記録ヘッドの回復処理を行うようには構成されていない。また、特許文献４に記載の補助ヘッドは１つのノズルを有し、メインのライン型記録ヘッドの不吐出ノズルによるドットの抜けを補正するのみで、メインのライン型記録ヘッドに代わって画像形成を行うことはできない。
【００１７】
このように、従来は、特に、ノズルを記録媒体の全幅に対応する数だけ記録媒体の幅方向にライン状に配列したラインヘッドの場合、印字中においてはヘッド直下に記録媒体があるため、前述したような不吐出原因を取り除くためのパージ、吸引及びブレードというヘッドメンテナンス動作すべてを印字中に行うことはできないという問題がある。  
【００１８】
本発明は、このような事情に鑑みてなされたもので、不吐出等の印字不良があった場合でも、印字中にヘッドのメンテナンス動作を行うことを可能とし、生産性の向上を達成することのできる画像形成装置を提供することを目的とする。
【課題を解決するための手段】
【００１９】
前記目的を達成するために、請求項１に記載の発明は、記録媒体に液滴を吐出する吐出口が前記記録媒体の全幅に対応する長さにわたって配列されたラインヘッドと、前記ラインヘッドの吐出口の不良を回復するヘッド回復処理を行うヘッド回復手段と、前記ラインヘッドを前記ヘッド回復処理を行うための退避位置に移動させるヘッド退避手段と、前記記録媒体の搬送方向と略垂直な方向に移動可能な補助ヘッドと、を備え、前記ラインヘッドに対し、前記退避位置において前記ヘッド回復処理実行中に前記補助ヘッドにより画像記録を行うことを可能としたことを特徴とする画像形成装置を提供する。
【００２０】
これにより、メインのラインヘッドに不吐出等の欠陥が生じても、印字を中断することなく、補助ヘッドで印字しながら同時にラインヘッドのメンテナンスを行うことが可能となり、生産性を向上させることができる。また、印字中に不吐出ノズルのリカバリーを可能とし、信頼性を向上させることができる。
【００２１】
また、前記ラインヘッドは、それぞれが複数の吐出口を有する複数の吐出ヘッドを、前記記録媒体の全幅を担うように並べて構成されており、前記ヘッド退避手段は、前記複数の吐出ヘッドをそれぞれ独立に移動可能であることを特徴とする。また、前記補助ヘッドは、前記ヘッド回復処理実行中に、前記ラインヘッドの画像記録領域の一部のみ、または全てについて画像記録を行うことが好ましい。
【００２２】
これにより、ラインヘッドを構成する各吐出ヘッドに対し順次回復処理が可能であり、不必要な回復処理を行うことがなく、無駄なインクの消費量を低減することができ、生産性を落とすこともない。
【００２３】
また、前記補助ヘッドは、前記記録媒体の搬送方向と略垂直な方向に往復運動しながら画像記録を行うことを特徴とする。この往復運動には、いわゆるシャトル印字の他に、微小距離を小刻みに往復する微振動も含むものとし、これにより、印字ムラの低減やラインヘッドを構成する各吐出ヘッド間の繋ぎ目を低減することも可能である。
【００２４】
また、前記補助ヘッドは、前記ラインヘッドを構成する各吐出ヘッドと同様の構成を有していることが好ましい。ラインヘッドを構成する各吐出ヘッドと補助ヘッドを共通ユニット化することで、装置の量産性を向上させることができる。
【００２５】
さらに、前記補助ヘッドに、前記記録媒体上における印字の有無を検出する印字検出手段を設けたことを特徴とする。これにより、ラインヘッドを構成する各吐出ヘッド間の繋ぎ目を確実に補正することが可能となる。
【発明の効果】
【００２６】
以上説明したように、本発明に係る画像形成装置によれば、メインのラインヘッドに欠陥が発生した場合でも、代わりに補助ヘッドで印字することにより、印字を行いながらラインヘッドのメンテナンスを行うことができ、生産性の向上を達成することが可能となる。
【発明を実施するための最良の形態】
【００２７】
以下、添付した図面を参照して、本発明に係る画像形成装置について詳細に説明する。
【００２８】
図１は、本発明に係る画像形成装置としてのインクジェット記録装置の一実施形態の概略を示す全体構成図である。図１に示したように、このインクジェット記録装置１０は、インクの色毎に設けられた複数の印字ヘッドユニット１２Ｋ、１２Ｃ、１２Ｍ、１２Ｙを有する印字部１２と、各印字ヘッドユニット１２Ｋ、１２Ｃ、１２Ｍ、１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印画済みの記録紙（プリント物）を外部に排紙する排紙部２６とを備えている。
【００２９】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００３０】
ロール紙を使用する装置構成の場合、図１のように、裁断用のカッター２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を使用する場合には、カッター２８は不要である。
【００３１】
複数種類の記録紙を利用可能な構成にした場合、紙の種類情報を記録したバーコードあるいは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００３２】
給紙部１８から送り出される記録紙１６はマガジンに装填されていたことによる巻き癖が残り、カールする。このカールを除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【００３３】
デカール処理後、カットされた記録紙１６は、吸着ベルト搬送部２２へと送られる。吸着ベルト搬送部２２は、ローラー３１、３２間に無端状のベルト３３が巻き掛けられた構造を有し、少なくとも印字部１２のノズル面及び印字検出部２４のセンサ面に対向する部分が平面（フラット面）をなすように構成されている。
【００３４】
ベルト３３は、記録紙１６幅よりも広い幅寸法を有しており、ベルト面には多数の吸引孔（図示省略）が形成されている。図１に示したとおり、ローラー３１、３２間に掛け渡されたベルト３３の内側において印字部１２のノズル面及び印字検出部２４のセンサ面に対向する位置には吸着チャンバー３４が設けられており、この吸着チャンバー３４をファン３５で吸引して負圧にすることによってベルト３３上の記録紙１６が吸着保持される。
【００３５】
ベルト３３が巻かれているローラー３１、３２の少なくとも一方にモータ（図示省略）の動力が伝達されることにより、ベルト３３は図１において、時計回り方向に駆動され、ベルト３３上に保持された記録紙１６は、図１の左から右へと搬送される。
【００３６】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、あるいはこれらの組み合わせなどがある。清掃用ロールをニップする方式の場合、ベルト線速度とローラー線速度を変えると清掃効果が大きい。
【００３７】
なお、吸着ベルト搬送部２２に代えて、ローラー・ニップ搬送機構を用いる態様も考えられるが、印字領域をローラー・ニップ搬送すると、印字直後に用紙の印字面にローラーが接触するので、画像が滲み易いという問題がある。したがって、本例のように、印字領域では画像面と接触させない吸着ベルト搬送が好ましい。
【００３８】
吸着ベルト搬送部２２により形成される用紙搬送路上において印字部１２の上流側には、加熱ファン４０が設けられている。加熱ファン４０は、印字前の記録紙１６に加熱空気を吹きつけ、記録紙１６を加熱する。印字直前に記録紙１６を加熱しておくことにより、インクが着弾後乾き易くなる。
【００３９】
印字部１２は、４色（ＫＣＭＹ）に対応する印字ヘッドユニット１２Ｋ、１２Ｃ、１２Ｍ、１２Ｙからなり、各印字ヘッドユニット１２Ｋ、１２Ｃ、１２Ｍ、１２Ｙは、それぞれが複数の吐出口を有する複数の吐出ヘッドを記録紙１６の全幅を担うように、例えば各吐出ヘッドの長手方向を記録紙１６の幅方向に並べて構成された、最大紙幅に対応する長さを有するライン型ヘッドを、紙搬送方向と直交する方向に配置した、いわゆるフルライン型ヘッドを含んでいる。詳しくは後述するが、各印字ヘッドユニット１２Ｋ、１２Ｃ、１２Ｍ、１２Ｙは、このように複数の吐出ヘッドによって構成されたライン型ヘッドの他に、ヘッド回復手段、ヘッド退避手段及び補助ヘッドを有している。
【００４０】
記録紙１６の搬送方向（紙搬送方向）に沿って上流側（図１の左側）から黒（Ｋ）、シアン（Ｃ）、マゼンタ（Ｍ）、イエロー（Ｙ）の順に各色インクに対応した印字ヘッドユニット１２Ｋ、１２Ｃ、１２Ｍ、１２Ｙが配置されている。記録紙１６を搬送しつつ各印字ヘッドユニット１２Ｋ、１２Ｃ、１２Ｍ、１２Ｙの印字ヘッドからそれぞれ色インクを吐出することにより記録紙１６上にカラー画像を形成し得る。
【００４１】
このように、紙幅の全域をカバーするフルラインヘッドがインク色毎に設けられてなる印字部１２によれば、紙搬送方向について記録紙１６と印字部１２を相対的に移動させる動作を一回行うだけで（すなわち、一回の走査で）記録紙１６の全面に画像を記録することができる。これにより、印字ヘッドが紙搬送方向と直交する方向に往復動作するシャトル型ヘッドに比べて高速印字が可能であり、生産性を向上させることができる。
【００４２】
なお、本例では、ＫＣＭＹの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する印字ヘッドを追加する構成も可能である。
【００４３】
図１に示したように、インク貯蔵／装填部１４は、各印字ヘッドユニット１２Ｋ、１２Ｃ、１２Ｍ、１２Ｙに対応する色のインクを貯蔵するタンクを有し、各タンクは図示を省略した管路を介して各印字ヘッドユニット１２Ｋ、１２Ｃ、１２Ｍ、１２Ｙの印字ヘッドと連通されている。また、インク貯蔵／装填部１４は、インク残量が少なくなるとその旨を報知する報知手段（表示手段、警告音発生手段等）を備えるとともに、色間の誤装填を防止するための機構を有している。
【００４４】
印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【００４５】
本例の印字検出部２４は、少なくとも各印字ヘッドユニット１２Ｋ、１２Ｃ、１２Ｍ、１２Ｙの印字ヘッドによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて、受光素子が二次元配列されて成るエリアセンサを用いることも可能である。
【００４６】
印字検出部２４は、各色の印字ヘッドユニット１２Ｋ、１２Ｃ、１２Ｍ、１２Ｙにより印字されたテストパターンを読み取り、各ヘッドの吐出検出を行う。吐出判定は、吐出の有無、ドットサイズの測定、ドット着弾位置の測定等で構成される。
【００４７】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹きつける方式が好ましい。
【００４８】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００４９】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラー４５で加圧し、画像面に凹凸形状を転写する。
【００５０】
このようにして生成されたプリント物は、排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（図示省略）が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に、本画像とテスト印字部を切断するためのものである。カッター４８の構造は前述した第１のカッター２８と同様であり、固定刃４８Ａと丸刃４８Ｂとから構成されている。
【００５１】
また、図示を省略したが、本画像の排出部２６Ａには、オーダー別に画像を集積するソーターが設けられている。
【００５２】
次に、印字ヘッドユニットについて説明する。各色毎の印字ヘッドユニット１２Ｋ、１２Ｃ、１２Ｍ、１２Ｙはいずれも同様であるので符号５０で代表させて、以下単に印字ヘッドユニット５０として説明する。
【００５３】
図２に、本発明の第１実施例に係る印字ヘッドユニットの概略構成を示す。図２は、印字ヘッドユニット５０の通常印字時の状態を示すものであり、図２（ａ）は側面図、図２（ｂ）は平面図である。
【００５４】
図２（ａ）に示すように、本実施例の印字ユニット５０は、主に、記録紙１６にインクを吐出して画像を記録する印字ヘッド（以下、メインヘッドとする。）５２、メインヘッド５２のメンテナンスを行うメンテナンスユニット（ヘッド回復手段）５４、メインヘッド５２を回復処理を行う退避位置に移動するヘッド退避手段（上下退避機構）５６及びメインヘッド５２がメンテナンス（回復処理）を行っている間、メインヘッド５２に代わって印字を行う補助ヘッド（サブヘッド）５８を有して構成される。
【００５５】
また、図２（ｂ）に示すように、メインヘッド５２は、マトリクス状に配列された複数の吐出口（ノズル）（図示省略）を有する複数の短尺ヘッドである吐出ヘッド５３が、図に矢印で示す、記録紙１６の搬送方向に直交する方向に、千鳥状に配置され、全体として、最大紙幅に対応する長さを有するライン型ヘッドを形成している。
【００５６】
メインヘッド５２は、ヘッド退避手段５６により、図２（ａ）に実線で示した通常の印字位置から、一点鎖線で示した退避位置５７まで移動可能となっている。本実施例では、メインヘッド５２は、複数の吐出ヘッド５３でライン型ヘッドとして構成されているが、これら複数の吐出ヘッド５３を一括してメインヘッド５２全体を一体として移動するようになっている。このように、本実施例では、メインヘッド５２を一体として移動することにより、各吐出ヘッド５３間における繋ぎ目がずれることはない。
【００５７】
また、図２（ｂ）に示すように、メンテナンスユニット５４は、メインヘッド５２の各吐出ヘッド５３に対応してキャップ５５がそれぞれ千鳥状に配置されて構成されている。メンテナンスユニット５４は、メインヘッド５２が退避位置５７に移動した場合には、図示しない駆動手段によって記録紙１６の搬送方向とは逆方向に一体として移動し、退避位置５７に移動したメインヘッド５２の下側に位置するようになっている。
【００５８】
また、補助ヘッド５８は、メインヘッド５２を構成する各吐出ヘッド５３と同様の形状、構成を有し、そのメインヘッド５２と同色のインクが供給されるようになっている。また、補助ヘッド５８は、図示しない駆動手段によって駆動軸６０に沿って記録紙１６の幅方向（記録紙１６の搬送方向と略垂直な方向）に移動可能なように構成されている。補助ヘッド５８は、通常印字時は記録紙１６の幅方向外側で待機しており、この待機位置において補助ヘッド５８の下には、補助ヘッド５８用のメンテナンスユニット６２が設けられている。
【００５９】
図３に、印字ヘッドユニット５０のメンテナンス時の状態を示す。図３（ａ）は側面図、図３（ｂ）は平面図である。
【００６０】
メンテナンスを行う場合には、図３（ａ）に示すように、メインヘッド５２をヘッド退避手段５６によって通常印字時の上方の退避位置まで退避させるようになっている。また、メンテナンスユニット５４を、退避位置に退避したメインヘッド５２の下側に、図示しない駆動手段により移動させるようになっている。
【００６１】
このとき図３（ｂ）に示すように、メンテナンスユニット５４の各キャップ５５が丁度メインヘッド５２の各吐出ヘッド５３に対応する位置に来て、メインヘッド５２のメンテナンスを行うようになっている。さらに、補助ヘッド５８が、駆動軸６０に沿って記録紙１６上に移動し、メインヘッド５２に代わって画像記録を行うようになっている。これにより印字中にメンテナンスを行うことが可能となる。
【００６２】
なお、図３（ｂ）に示すように、補助ヘッド５８用のメンテナンスユニット６２にも、補助ヘッド５８用のキャップ６３が設けられている。
【００６３】
また、メンテナンスとしては、ノズル内のインクを加圧して回収トレー等に強制的に排出する「パージ」（いわゆる、「つば吐き」）や、ヘッドにキャップをして密閉しキャップに連通するポンプによって外からインクを吸い出す「吸引」、およびノズル面を拭き取って清掃する「ブレード」があり、詳しくは後述するが、これらのメンテナンス動作を所定周期で、適宜交互に、あるいは組み合わせて実行する。
【００６４】
補助ヘッド５８は、図に示すように２つ用いてもよいし、１つのみを用いて画像記録を行うようにしてもよい。また、このとき画像記録は記録紙１６の全幅にわたって行われるが、メインヘッド５２による印字不良箇所を検出して、不良部分のみを印字するようにしてもよい。
【００６５】
次に、本実施例におけるメンテナンス動作について説明する。
【００６６】
メンテナンスを行う場合には、印字データを所定のメモリ領域にバッファして、メインヘッド５２からの吐出を中止して、吐出を補助ヘッド５８に切り換える。バッファされた印字データを補助ヘッド５８の動きに合わせて送る。補助ヘッド５８は、送られた印字データによってシャトル走査を行い、メインヘッド５２に代わって画像記録を行う。
【００６７】
一方、吐出をメインヘッド５２から補助ヘッド５８に切り換えると同時に、メインヘッド５２をヘッド退避手段５６によって上に持ち上げ、図２（ａ）に示すような退避位置５７まで退避させる。そして、駆動手段によりメンテナンスユニット５４を移動して、図３（ａ）に示すように、メインヘッド５２と記録紙１６との間（メインヘッド５２の下側）にメンテナンスユニット５４を挿入する。
【００６８】
メンテナンスユニット５４の各キャップ５５をメインヘッド５２の各吐出ヘッド５３の位置に配置してメンテナンス動作を行う。メンテナンス動作には上に述べたように、パージ、吸引、ブレードがあるが、パージ周期をｔ1 、吸引周期をｔ2 、ブレード周期をｔ3 とするとき、メンテナンス回数を低減させるためには、Ｍ、Ｎを所定の自然数として、ｔ2 ＝Ｍ×ｔ1 、ｔ3 ＝Ｎ×ｔ1 、のようにするのが好ましい。例えば、パージを１万回吐出毎に行うとした場合に、吸引は２万回吐出毎、ブレードは４万回吐出毎に行う等のように、パージの周期に同期させて吸引、ブレードを行うようにする。
【００６９】
パージ時は、メンテナンス対象の吐出ヘッド５３の直下にキャップ５５を配置して、パージを行う。このとき、吐出ヘッド５３とキャップ５５は非接触でよい。また、吸引時は、メンテナンス対象の吐出ヘッド５３にキャップ５５を押し当てて、キャップ５５の下流にある吸引ポンプ（図示省略）を駆動してインクを吸引する。また、ブレード時は、キャップ５５内あるいはその近傍に設置されているゴム部材等の柔軟部材で吐出ヘッド５３のノズル面を拭き取る。なお、吸引を行う場合には、パージは行わないようにする。
【００７０】
メンテナンス動作（回復処理）終了後、メンテナンスユニット５４を、図示しない駆動手段によって元の位置に退避させ、メンテナンス済みのメインヘッド５２をヘッド退避手段５６によって元の吐出位置まで下に移動する。メインヘッド５２が記録紙１６の吐出位置に位置したら、吐出を補助ヘッド５８からメインヘッド５２に切り換えて、補助ヘッド５８を元の位置（待機位置）に退避させる。補助ヘッド５８の待機位置には補助ヘッド５８用のメンテナンスユニット６２が設置されており、補助ヘッド５８はここでメンテナンスを受け、そのままその位置で次のメインヘッド５２のメンテナンス時まで待機する。
【００７１】
このように、本実施例では、メインヘッド５２のメンテナンス中に補助ヘッド５８で代わりに画像記録を行うようにしたため、生産性を落とすことはなく、また、メインヘッド５２を一体として移動するようにしているため、メインヘッド５２を構成する各吐出ヘッド５３間における位置ずれの問題がない。
【００７２】
また、本実施例において、図４に示すように、補助ヘッド５８を図に二点鎖線で示す位置５８ａに移動させて、メインヘッド５２の吐出ヘッド５３の外側の領域を印字するようにすることによって、最大用紙幅を広げることがてきる。ただし、このように最大用紙幅を広げるように補助ヘッド５８を用いた場合には、プリント中はメンテナンスを行うことはできない。
【００７３】
次に、本発明の第２実施例について説明する。本第２実施例は、メインヘッドを構成する各吐出ヘッドを、メンテナンス時には、それぞれ独立に上方に退避させることができるようにしたものである。
【００７４】
図５に、本発明の第２実施例に係る印字ヘッドユニットの概略構成を示す。図５（ａ）は側面図、図５（ｂ）は平面図である。
【００７５】
図５（ａ）に示すように、本実施例においては、短尺ヘッドである各吐出ヘッド１５３がヘッド退避手段１５６にそれぞれ取り付けられており、独立に上下動できるようになっている。また、図５（ｂ）に示すように、各吐出ヘッド１５３は、記録紙１６の幅方向に千鳥状に配置され、その記録領域が全体として記録紙１６の全幅をカバーできるように配置されて、全体でメインヘッド１５２を形成するように構成されている。
【００７６】
また、本実施例におけるメンテナンスユニット１５４は、キャップ１５５を有し、それぞれ独立に移動するように構成されている。メンテナンスユニット１５４は、図５（ａ）に示すように、垂直方向の位置が、上方の退避位置に退避した吐出ヘッド１５３と記録紙１６との間に設定され、水平方向には、図５（ｂ）に示すように、駆動軸１６４に沿って記録紙１６の外側から記録紙１６の幅方向（記録紙１６の搬送方向と略垂直な方向）に移動可能に構成されている。
【００７７】
また、本実施例における補助ヘッド１５８は、前述した第１実施例の補助ヘッド５８と同様であり、メインヘッド１５２を構成する吐出ヘッド１５３と同様の形状、構成を有し、駆動軸１６０に沿って記録紙１６の幅方向に移動可能であり、通常は、記録紙１６の幅方向外側の補助ヘッド用のメンテナンスユニット１６２の位置で待機するようになっている。
【００７８】
なお、本実施例においては、メインヘッド１５２を構成する各吐出ヘッド１５３を独立して移動可能なため、ある一つの吐出ヘッド１５３のみを退避させてメンテナンスを行うことができるため、そのメンテナンス対象吐出ヘッド１５３に対応する記録紙１６上の領域に対して補助ヘッド１５８で印字を行う必要があり、その位置を正確に検出するために補助ヘッド１５８にセンサ１６６が設置されている。このセンサ１６６は、特には限定されず、例えば、補助ヘッド１５８のキャリッジ内に反射型のセンサを搭載するようにすればよい。
【００７９】
また、各吐出ヘッド１５３の記録紙１６上の印字位置は、予め印字動作前のノズルチェック時を利用して検出しておくのが望ましい。例えば、ノズルチェック時に、メインヘッド１５２を構成する各吐出ヘッド１５３で順番に吐出してテストチャートを印刷して、インクの有無を反射型センサ１６６で検出し、そのときの補助ヘッド１５８のキャリッジの位置を記憶しておくようにするとよい。
【００８０】
以下、本実施例の作用として本実施例におけるメンテナンス動作について説明する。
【００８１】
メンテナンスを行う場合には、メインヘッド１５２を構成するメンテナンス対象となる吐出ヘッド１５３からの吐出を中止して、その部分の吐出を補助ヘッド１５８に切り換える。すなわち、補助ヘッド１５８を、メンテナンス対象となった吐出ヘッド１５３の記録紙１６上の記録領域へ移動して、メンテナンス対象吐出ヘッド１５３が担当していた印字データを補助ヘッド１５８に送り、補助ヘッド１５８で画像記録を行う。
【００８２】
一方、吐出を吐出ヘッド１５３から補助ヘッド１５８に切り換えると同時に、メンテナンス対象となった吐出ヘッド１５３をヘッド退避手段１５６によって上に持ち上げ、図５（ａ）に示すような退避位置まで退避させる。そして、駆動軸１６４に沿って、キャップ１５５を有して構成されるメンテナンスユニット１５４を移動して、図５（ａ）に示すように、吐出ヘッド１５３と記録紙１６との間（吐出ヘッド１５３の下側）にメンテナンスユニット１５４を挿入してメンテナンス動作を行う。
【００８３】
メンテナンスを行う頻度としては、前述した実施例と同様にパージの周期に同期させて吸引及びブレードを行うようにしてもよいし、この場合には、以下のように、印字データに基づいて次回メンテナンスまでの時間を算出するようにしてもよい。
【００８４】
例えば、印字データから各吐出ヘッド１５３の吐出の状態がわかり、これからその吐出ヘッド１５３についての次回吐出までの時間Ｔ１を算出することができる。また、メンテナンスまでの残り時間Ｔ２は、あるメンテナンスの周期を決めれば、そこから減算することにより求められる。また、補助ヘッド１５８での代用吐出に移行するのに要する時間をＴ３とし、復帰するのに要する時間をＴ４とするとき、Ｔ１＞Ｔ３＋Ｔ４＋αの場合、すなわち、次回の吐出まで時間が十分ある場合には、その吐出ヘッド１５３は休止状態に移行し、キャップ１５５をする。また、復帰時にはキャップ１５５にパージをした後、その吐出ヘッド１５３をプリント待機位置に移動させる。なお、このとき補助ヘッド１５８は、補助ヘッド用のメンテナンスユニット１６２上の待機位置のままで、移動させる必要はない。
【００８５】
また、次回メンテナンスまでの残り時間Ｔ２が、補助ヘッド１５８による代用吐出に移行するのに要する時間Ｔ３と同じ場合（Ｔ２−Ｔ３＝０）には、吐出ヘッド１５３のメンテナンスを行い、この間補助ヘッド１５８による代用吐出を行う。
【００８６】
また、本実施例の場合、メインヘッド１５２を構成する各吐出ヘッド１５３がそれぞれ独立して退避可能なため、各吐出ヘッド１５３間での画像記録領域の境界での繋ぎ目の問題がある。これに対しては、印刷モードに応じて動作を切り換えるようにすればよい。例えば、通常モード、高速モード時においては、前述したように事前に検出して記憶しておいたメインヘッド１５２を構成するメンテナンス対象となった吐出ヘッド１５３の位置に補助ヘッド１５８を移動して、補助ヘッド１５８を固定した状態で吐出するようにする。
【００８７】
あるいは、このようにメンテナンス対象の吐出ヘッド１５３に対応する記録紙１６上の位置を事前に検出して記憶しておくのではなく、実際に印字中にセンサ１６６で各吐出ヘッド１５３の画像記録領域の境界を検出して、検出したら印字を開始するようにしてもよい。または、記録紙１６に各吐出ヘッド１５３による画像記録領域の境界にマークを付けておき、これを所定のセンサで検出するようにしてもよい。
【００８８】
また、高画質モード時においては、補助ヘッド１５８は、往復運動をしながら吐出するようにする。このとき、境界部分においては、粒径の小さい液滴で重ね書きをするようにする。このようにすると、印刷速度は落ちるが、メインヘッド１５２の吐出ヘッド１５３と補助ヘッド１５８との境界が目立たなくなる。また、補助ヘッド１５８を微振動させながら吐出することにより境界部分を目立たなくさせるようにすることもできる。
【００８９】
このように、本実施例においては、やはり補助ヘッド１５８で印字中にメンテナンスを行うことができるため、生産性を落とすことはなく、また、メインヘッド１５２を構成する吐出ヘッド１５３を上下方向に退避、移動可能としたため各吐出ヘッド１５３間での位置ずれを小さくすることができる。
【００９０】
次に、本発明の第３実施例について説明する。本第３実施例は、メインヘッドを構成する各吐出ヘッドを、メンテナンス時には、それぞれ記録紙の幅方向に独立に退避させることができるようにしたものである。
【００９１】
図６に、本発明の第３実施例に係る印字ヘッドユニットの概略構成を示す。図６（ａ）は側面図、図６（ｂ）は平面図である。
【００９２】
図６（ａ）に示すように、本実施例においては、短尺ヘッドである各吐出ヘッド２５３がヘッド退避手段としての駆動軸２５６にそれぞれ取り付けられており、独立に記録紙１６幅方向に移動できるようになっている。各吐出ヘッド２５３は、図６（ｂ）に示すように、通常記録時においては、各吐出ヘッド２５３の各画像記録領域全体が記録紙１６の全幅をカバーできるように配置されてメインヘッド２５２を構成している。
【００９３】
また、本実施例においては、ヘッド回復手段としてのメンテナンスユニット２５４は、図６（ｂ）に示すように、記録紙１６幅方向外側に設置され、キャップ２５５を有して構成される。この場合、メンテナンスユニット２５４は、固定されており移動しない。
【００９４】
また、本実施例における補助ヘッド２５８は、前述した第１実施例の補助ヘッド５８と同様であり、メインヘッド２５２を構成する吐出ヘッド２５３と同様の形状、構成を有し、駆動軸２６０に沿って記録紙１６の幅方向（記録紙１６の搬送方向と略垂直な方向）に移動可能であり、通常は、記録紙１６の幅方向外側の補助ヘッド用のメンテナンスユニット２６２の位置で待機するようになっている。なお、本実施例の補助ヘッド２５８も、前記第２実施例同様に、メンテナンス対象吐出ヘッド２５３に対応する記録紙１６上の領域の位置を正確に検出するためのセンサ２６６が設置されている。
【００９５】
以下、本実施例の作用として本実施例におけるメンテナンス動作について説明する。
【００９６】
メンテナンスを行う場合には、メインヘッド２５２を構成するメンテナンス対象となる吐出ヘッド２５３からの吐出を中止して、その部分の吐出を補助ヘッド２５８に切り換える。すなわち、補助ヘッド２５８を、メンテナンス対象となった吐出ヘッド２５３の記録紙１６上の記録領域へ移動して、メンテナンス対象吐出ヘッド２５３が担当していた印字データを補助ヘッド２５８に送り、補助ヘッド２５８で画像記録を行う。
【００９７】
一方、吐出を吐出ヘッド２５３から補助ヘッド２５８に切り換えると同時に、メンテナンス対象となった吐出ヘッド２５３をヘッド退避手段である駆動軸２５６に沿って記録紙１６の幅方向に移動し、幅方向外側に設置されているメンテナンスユニット２５４のキャップ２５５の位置まで退避させ、メンテナンス動作を行う。
【００９８】
メンテナンスを行う頻度としては、前述した第１実施例と同様にパージの周期に同期させて吸引及びブレードを行うようにしてもよいし、あるいはこの場合には、前述した第２実施例と同様に、以下のように、印字データに基づいて次回メンテナンスまでの時間を算出するようにしてもよい。
【００９９】
例えば、印字データから各吐出ヘッド２５３の吐出の状態がわかり、これからその吐出ヘッド２５３についての次回吐出までの時間Ｔ１を算出することができる。また、メンテナンスまでの残り時間Ｔ２は、あるメンテナンスの周期を決めれば、そこから減算することにより求められる。また、補助ヘッド２５８での代用吐出に移行するのに要する時間をＴ３とし、復帰するのに要する時間をＴ４とするとき、Ｔ１＞Ｔ３＋Ｔ４＋αの場合、すなわち、次回の吐出まで時間が十分ある場合には、その吐出ヘッド２５３は休止状態に移行し、キャップ２５５をする。また、復帰時にはキャップ２５５にパージをした後、その吐出ヘッド２５３をプリント待機位置に移動させる。なお、このとき補助ヘッド２５８は、補助ヘッド用のメンテナンスユニット２６２上の待機位置のままで、移動させる必要はない。
【０１００】
また、次回メンテナンスまでの残り時間Ｔ２が、補助ヘッド２５８による代用吐出に移行するのに要する時間Ｔ３と同じ場合（Ｔ２−Ｔ３＝０）には、吐出ヘッド２５３のメンテナンスを行い、この間補助ヘッド２５８による代用吐出を行う。
【０１０１】
また、本実施例の場合、メインヘッド２５２を構成する各吐出ヘッド２５３がそれぞれ独立して退避可能なため、各吐出ヘッド２５３間での画像記録領域の境界での繋ぎ目の問題がある。これに対しては、印刷モードに応じて動作を切り換えるようにすればよい。例えば、通常モード、高速モード時においては、前述したように事前に検出して記憶しておいたメインヘッド２５２を構成するメンテナンス対象となった吐出ヘッド２５３の位置に補助ヘッド２５８を移動して、補助ヘッド２５８を固定した状態で吐出するようにする。
【０１０２】
また、高画質モード時においては、補助ヘッド２５８は、往復運動をしながら吐出するようにする。このとき、境界部分においては、粒径の小さい液滴で重ね書きをするようにする。このようにすると、印刷速度は落ちるが、メインヘッド２５２の吐出ヘッド２５３と補助ヘッド２５８との境界が目立たなくなる。
【０１０３】
このように、本実施例においては、やはり補助ヘッド２５８で印字中にメンテナンスを行うことができるため、生産性を落とすことはなく、また、記録紙幅方向外側に、キャップ２５５を有するメンスナンスユニット２５４を固定配置して、メンテナンス時にはメインヘッド２５２を構成する各吐出ヘッド２５３を記録紙幅方向（記録紙搬送方向に略垂直な方向）に設置された駆動軸２５６に沿ってキャップ２５５上まで移動させるだけでよいため、装置構成が簡単である。
【０１０４】
また、本実施例において、図７に示すように、例えば狭幅用紙１６ａに記録する場合、メインヘッド２５２を構成する吐出ヘッド２５３のうち特定の吐出ヘッド２５３ａしか使用しない場合には、このとき記録に用いない吐出ヘッド２５３ｂを補助ヘッドとして用いるようにすることもできる。
【０１０５】
さらに、メインヘッド２５２の他に、本来の補助ヘッド２５８をも記録に用いるようにすることにより、狭幅用紙１６ａ、通常用紙１６ｂの他に、最大幅用紙１６ｃのプリントも可能となる。
【０１０６】
なお、以上説明した各実施例においては、いずれも各色毎に印字ヘッドユニットが設けられており、各色毎にメインヘッド及び（１つ以上の）補助ヘッドが設けられていたが、１つの補助ヘッド内を色毎に区分けしてもよい。ただし、この場合には、補助ヘッドは、記録紙幅方向（いわゆる主走査方向）に移動させながら吐出する必要がある。
【０１０７】
また、メインヘッドも色毎ではなく、１つのメインヘッドに例えばＹＭＣＫ４色の吐出ヘッドを有するようにしてもよい。この場合、補助ヘッドも４色の吐出口が配列される。ただし、この場合には、補助ヘッドへの各色のインクの供給系や、補助ヘッドによる印字方法に工夫が必要である。
【０１０８】
以上説明したように、本実施形態によれば、印字中にメンテナンス動作を実行できるため、生産性の向上を達成できる。また、吐出ヘッド単位で退避可能とし、補助ヘッドを往復運動（微振動を含む）させて画像記録することで、補助ヘッドをライン型とすることなく、高画質での画像記録ができ、補助ヘッドの小型化が可能となる。また、回復できないノズルのリカバリーを可能とし、信頼性を向上させることができ、さらに、補助ヘッドでシャトル走査を行い画像記録することでメインヘッドを構成する複数の吐出ヘッドが故障した場合にも対応することが可能となる。
【０１０９】
以上、本発明の画像形成装置について詳細に説明したが、本発明は、以上の例には限定されず、本発明の要旨を逸脱しない範囲において、各種の改良や変形を行ってもよいのはもちろんである。
【図面の簡単な説明】
【０１１０】
【図１】本発明に係るインクジェット記録装置の一実施形態の概略を示す全体構成図である。
【図２】本発明の第１実施例に係る印字ヘッドユニットの概略構成を示し、（ａ）は通常印字時の状態を示す側面図であり、（ｂ）は同じく平面図である。
【図３】本発明の第１実施例に係る印字ヘッドユニットのメンテナンス時の状態を示し、（ａ）は側面図であり、（ｂ）は平面図である。
【図４】第１実施例の他の態様を示す平面図である。
【図５】本発明の第２実施例に係る印字ヘッドユニットの概略構成を示し、（ａ）は側面図であり、（ｂ）は平面図である。
【図６】本発明の第３実施例に係る印字ヘッドユニットの概略構成を示し、（ａ）は側面図であり、（ｂ）は平面図である。
【図７】第３実施例の他の態様を示す平面図である。
【符号の説明】
【０１１１】
１０…インクジェット記録装置、１２…印字部、１４…インク貯蔵／装填部、１６…記録紙、１８…給紙部、２０…デカール部、２２…吸着ベルト搬送部、２４…印字検出部、２６…排紙部、２８…カッター、３０…加熱ドラム、３１、３２…ローラー、３３…ベルト、３４…吸着チャンバー、３５…ファン、３６…ベルト清掃部、４０…加熱ファン、４２…後乾燥部、４４…加熱・加圧部、４５…加圧ローラー、４８…カッター、５０…印字ヘッドユニット、５２…印字ヘッド（メインヘッド）、５４…メンテナンスユニット（ヘッド回復手段）、５５…キャップ、５６…ヘッド退避手段、５８…補助ヘッド、６０…駆動軸、６２…補助ヘッド用メンテナンスユニット
【図１】
2005231352.tif 000003
【図２】
2005231352.tif 000004
【図３】
2005231352.tif 000005
【図４】
2005231352.tif 000006
【図５】
2005231352.tif 000007
【図６】
2005231352.tif 000008
【図７】
2005231352.tif 000009